(57)【要約】      （修正有）【課題】撮影技師などが直接的な操作で脚の引き出しを行なわなくとも、簡易な構成で脚が引き出せるようにし、アームが装置本体の側方に位置したときの転倒を簡単な機構で防止する回診用Ｘ線撮影装置を提供する。【解決手段】装置本体５の台車４の下部に、台車幅方向に移動して台車の側方に張り出し可能とされ、両端を接地部１６とする一本の補助脚１７と、補助脚を台車幅方向に移動可能に支持する支持部１８と、アーム６の回転中心軸１３ａ回りの旋回に連動する回転体の回転運動を直線移動運動に変換して、支持部に支持されている補助脚をアーム配置方向に向けて送り出す運動変換機構部１９とを設けた。【選択図】図１
0003204095.tif 000002
【実用新案登録請求の範囲】
【請求項１】
進行方向前後に一対ずつの車輪を有する台車を下部に配した装置本体と、装置上下方向を回転軸方向にして前記装置本体に旋回可能に取り付けられていて、装置上下方向に屈曲可能な節部を有するアームと、前記アームの先端に取り付けられたＸ線照射部とからなり、装置本体の台車幅方向に向けたアームの旋回によりＸ線照射部が台車幅方向である装置本体の側方上部に配置可能とされている回診用Ｘ線撮影装置であって、
前記台車の下部に、台車幅方向に移動して台車の側方に張り出し可能とされ、両端を接地部とする一本の補助脚と、前記一本の補助脚を台車幅方向に移動可能に支持する支持部と、前記アームの旋回に連動する回転体の回転運動を、前記支持部に支持されている補助脚をアーム配置方向に向けて送り出す直線移動運動に変換する運動変換機構部とを設けたことを特徴とする回診用Ｘ線撮影装置。
【請求項２】
上記補助脚の端部には下端を接地端とする接地部が回転可能に設けられていて、接地部の前記回転により接地部の下端が床面に対して離接する構成とされている請求項１に記載の回診用Ｘ線撮影装置。
【考案の詳細な説明】
【技術分野】
【０００１】
本発明は、回診用Ｘ線撮影装置に関するものである。
【背景技術】
【０００２】
従来から回診用Ｘ線撮影装置においては、先端にＸ線照射部を有するアームが装置の側方にも配置できるように旋回可能としたものが提案されている。そして、前記アームを旋回させて装置の側方に位置させたときの転倒を防止するために、例えば特許文献１に示されているように転倒防止脚を装置の下部から外方に向けて張り出しできるようにした工夫が提案されている。
【０００３】
具体的には、この回診用Ｘ線撮影装置では、転倒防止のために、装置本体下部での一側辺側から第一転倒防止脚が外部に向けて張り出しできるようにしているとともに、装置本体下部の前辺側から第二転倒防止脚を外部に向けて張り出しできるようにしており、さらに、もう一方の側辺側から第三転倒防止脚も外部に向けて張り出しできるようにしているものであった。
【先行技術文献】
【特許文献】
【０００４】
【特許文献１】特開２０１４−１３８６７３号公報
【考案の概要】
【考案が解決しようとする課題】
【０００５】
上記回診用Ｘ線撮影装置での工夫は、装置本体の下部三辺それぞれに脚部を備えるようにしたものであるが、しかしながら、必要時に脚部を張り出しする点に関しては、手動で引き出しの操作を行なったり、スプリング力等を利用した引き出しを行なうようにしたものであり、撮影技師がかがむなどして装置本体の下部回りで脚部の張り出しを直接的に行なう必要がある。また、モーター等による駆動力を利用して脚部が外方に張り出るようにする工夫も提案されてはいるが、転倒防止の構造が複雑になるという問題がある。
【０００６】
そこで本考案は上記事情に鑑み、直接的な手操作で脚の引き出しを行なわなくとも、簡易な構成で脚が引き出せるようにすることを課題とし、アームが装置本体の側方に位置したときの回診用Ｘ線撮影装置の転倒を簡単な機構で防止することを目的とするものである。
【課題を解決するための手段】
【０００７】
本考案は上記課題を考慮してなされたもので、進行方向前後に一対ずつの車輪を有する台車を下部に配した装置本体と、装置上下方向を回転軸方向にして前記装置本体に旋回可能に取り付けられていて、装置上下方向に屈曲可能な節部を有するアームと、前記アームの先端に取り付けられたＸ線照射部とからなり、装置本体の台車幅方向に向けたアームの旋回によりＸ線照射部が台車幅方向である装置本体の側方上部に配置可能とされている回診用Ｘ線撮影装置であって、
前記台車の下部に、台車幅方向に移動して台車の側方に張り出し可能とされ、両端を接地部とする一本の補助脚と、前記一本の補助脚を台車幅方向に移動可能に支持する支持部と、前記アームの旋回に連動する回転体の回転運動を、前記支持部に支持されている補助脚をアーム配置方向に向けて送り出す直線移動運動に変換する運動変換機構部とを設けたことを特徴とする回診用Ｘ線撮影装置を提供して、上記課題を解消するものである。
【０００８】
そして、本考案は、上記補助脚の端部には下端を接地端とする接地部が回転可能に設けられていて、接地部の前記回転により接地部の下端が床面に対して離接する構成とされていることが良好である。
【考案の効果】
【０００９】
本考案によれば、アームが旋回して一本の補助脚がアーム配置方向に張り出ることから、直接的な引き出し操作を行なわずに転倒防止の対策を図ることができる。そして、この補助脚を張り出す構造が頗る簡単であり、転倒防止のためのコストを引き上げることがないという優れた効果を奏する。
【図面の簡単な説明】
【００１０】
【図１】本考案に係る回診用Ｘ線撮影装置の一例を側方から見た状態で示す説明図である。
【図２】一例を上方から見た状態で示す説明図である。
【図３】同じく一例の装置本体を正面側から見た状態で示す説明図である。
【図４】同じく一例の装置本体を後面側から見た状態で示す説明図である。
【図５】同じく一例の装置本体を下面側から見た状態で示す説明図である。
【考案を実施するための形態】
【００１１】
つぎに本考案を図１から図５に示す実施の形態に基づいて詳細に説明する。図中１は回診用Ｘ線撮影装置で、この回診用Ｘ線撮影装置１は、実施の形態を側方から見た状態で表している図１に示されているように、一対の前輪２が小径とされ、一対の後輪３が大径とされている台車４を下部としている装置本体５と、前記装置本体５の上面に基端が位置していて、装置上下方向を回転中心軸方向として旋回可能にして装置本体５に取り付けられているアーム６と、前記アーム６の先端に取り付けられているＸ線照射部７とからなるものである。
【００１２】
（装置本体）
装置本体５は後輪３側の上方に主体部分が形成されていて、主体部分の上面には、その前縁中央に上述のようにアーム６の基端が位置しているとともに、操作面などが構成され、主体部分の上面の後方にはこの回診用Ｘ線撮影装置１を前進させたり後退させたりする際に掴み持つグリップ８が台車幅方向に渡されている。
【００１３】
また、装置本体５の主体部分の下部から台車前床部９が、この回診用Ｘ線撮影装置１の進行方向前方に向けて延設され、この台車前床部９の先端の両側それぞれに上記前輪２が設けられている。主体部分５ａの下部に連続する前記台車前床部９の上方は、回診用Ｘ線撮影装置１の不使用時や移動時に折り下げられるアーム６とＸ線照射部７とを位置させるための格納空間１０としている。
【００１４】
（フラットパネル格納部）
さらに、装置本体５を前方側と後方側から見た状態で示す図３、図４に示されているように、Ｘ線像をデータとして写し込むフラットパネルディテクター１１を出し入するフラットパネル格納部１２が主体部分５ａに設けられている。フラットパネル格納部１２は主体部分５ａを進行方向に沿った方向で貫く空間として形成されており、台車幅方向に対向する配置で対にして設けられている。
【００１５】
フラットパネル格納部１２それぞれは上述のように進行方向に沿う貫通空間として形成されていることから、装置本体５の後方からフラットパネル格納部１２にフラットパネルディテクター１１を出し入れでき、また、装置本体５の前方からもフラットパネルディテクター１１が出し入れできるように設けられている。
【００１６】
なお、折り下げられたアーム６とＸ線照射部７の格納空間１０は、上記主体部分５ａの前方に配置されたものとなるが、アーム６とＸ線照射部７が格納空間１０に位置している状態でも、フラットパネル格納部１２の前方側はアーム６やＸ線照射部７では塞がれない。即ち、アーム６より幅広のＸ線照射部７の幅（装置幅方向での幅）より前記二つのフラットパネル格納部１２が離れた配置とされており、格納空間１０に下されたアーム６とＸ線照射部７に干渉することなしにフラットパネルディテクター１１の出し入れを、主体部分５ａの前方からでも行なえる。
【００１７】
（アーム）
アーム６は、装置上下方向にして台車４の下部までに達する回転中心軸１３ａを内部に配し、装置本体５の上方に立ち上がって軸回転可能とされた支柱部１３と、この支柱部１３の上部に連結され、下方に屈曲可能な節部１４を有する横アーム部１５とからなるものである。そして、アーム６は回転中心軸１３ａを中心として旋回可能とされており、進行方向に対して左右それぞれに９０度ずつ旋回し、Ｘ線照射部７を装置本体５の側方上部に配置可能にしている。
【００１８】
（転倒防止）
実施の形態である回診用Ｘ線撮影装置１を用いたＸ線撮影の準備段階では、まず装置全体を病室のベッド横に沿うように進み入れてベッド脇で止める。つぎにベッドで横たわる被検者の撮影対象部位の上にＸ線照射部７が位置するようにアーム６を旋回させており、この操作でアーム６が台車幅方向である装置本体５の側方に向けて延びた状態となっているとともに、Ｘ線照射部７が装置本体５の側方上部となる空間に配置される。
【００１９】
そして、本回診用Ｘ線撮影装置１では、このときに側方に転倒しないように、支える脚となる部材が、台車幅方向であってアーム６が旋回して位置する方向である台車側方（アーム配置方向）に向けて張り出るようにした工夫を有している。
【００２０】
実施の形態では図示されているように台車４の下部に、台車幅方向を長手として、両端を接地部１６としている一本の補助脚１７と、この一本の補助脚１７を台車幅方向に移動可能に支持する支持部１８と、この支持部１８に支持されている補助脚１７を、装置本体５の側方に向けて旋回されるアーム６の動きに応じてこのアーム６が向かう装置本体５の側方に張り出るように送り出す運動変換機構部１９とが設けられている。
【００２１】
上記補助脚１７は長さが台車幅より短かいものであるが、支持部１８が補助脚１７を移動可能に支持することで、補助脚１７が台車幅方向に移動すれば、一方の接地部１６を先端として台車４の側方に進み出て、補助脚１７が張り出すようにしている。
【００２２】
上記運動変換機構部１９は、アーム６が旋回することでこの旋回に連動して回転する回転体の回転運動を、上記支持部１８による支持にて台車幅方向に移動可能とされている上記補助脚１７をアーム配置方向に向けて送り出す直線移動運動に変換する機構が構成されている部分であり、この機構部分を介在させることによって上述したようにアーム６の動きに応じてアーム６が向かう装置本体５の側方に補助脚１７の端部側が張り出るようにしている。
【００２３】
具体的な一例であるこの実施の形態において、回転中心軸１３ａの下端に取り付けられてアーム６の旋回動作に応じて回転する回転ギヤ２０を回転体として有しており、この回転ギヤ２０が補助脚１７の長さ方向に設けられた不図示のラッグギヤに噛合している。
【００２４】
上述したように上記運動変換機構部１９では、回転中心軸１３ａに取り付けられた回転ギヤ２０を補助脚１８に噛合させているので、アーム６の旋回とともに回転ギヤ２０が回転し、この回転する回転ギヤ２０によって前記台車幅方向外方に向けて補助脚１７を台車幅方向外方に向けて送り出すようにしている。
【００２５】
また、アーム６を進行方向に戻す旋回を行なうと、側方への旋回時とは反対方向に回転ギヤ２０が回転することとなり、補助脚１７を台車中心側に戻す方向に移動させ、アーム６が装置進行方向に向いたときに補助脚１７が台車から外方には張り出ない待機状態となるように設けられている。
【００２６】
なお、図３と図４においてはアーム６の旋回状態が示されてはいないが、アーム６を右方向に旋回させることで補助脚１７が装置本体５の右側に向けて張り出している状態が示されており、補助脚１７が外方（アーム配置方向に向いた側方）に張り出て上記接地部１６が床に接することで、回診用Ｘ線撮影装置１の転倒が簡単に防止できる。
【００２７】
上記補助脚１７の両端である接地部１６それぞれは、補助脚１７の軸状部分に回転可能にして取り付けられていて、本回診用Ｘ線撮影装置１を移動する際にこの接地部１６の接地端となる下端が床面から離れる方向に回転させることで、装置移動中での床面から補助脚１７までの最低地上高を確保し、その装置移動時に補助脚１７が床面に接触しないように設けられている。
【００２８】
上記アーム６を装置側方に旋回させて補助脚１７を装置側方に張り出したときには、補助脚１７における装置側方に張り出た側の接地部１６を回転させて、その接地１６の下端１６ａを床面に向くように回転させればよく、これによってアーム６を装置側方に旋回させた場合の装置の傾きを最小にすることができる。接地部１６の接地が不要になれば、前記下端１６ａが床面から離間するように回転させることで、この接地部１６と床面との不必要な接触を防ぐことが容易になる。
【００２９】
また図示の上記接地部１６ではその下端１６ａを平らに形成していて、接地部１６が立った状態のときに本回診用Ｘ線撮影装置１が僅かに傾いて、接地部１６の下端１６ａが床面に当たったとしても下端１６ａの平らな面で床面を受けて、この接地部１６が回転することのないように設けられている。なお、立った状態の接地部１６が床面に当たったときにこの接地部１６が回転しないように構成されていればよく、前記下端１６ａが必ずしも平面とされている必要はない。
【００３０】
さらに上記実施の形態において、運動変換機構部１９を、回転中心軸１３ａの下端の回転ギヤ２０がアーム６の旋回動作に応じて回転し、この回転する回転ギヤ２０が補助脚１７に噛合して台車幅方向外方に向けて補助脚１７を直線移動させるものとして示したが、運動変換機構部についてはこの実施の形態での例に限定されるものではなく、アームの旋回による回転部分の回転運動をリンクによって補助脚の直線移動運動に変換させる公知の構成を採用することができる。
【符号の説明】
【００３１】
１…回診用Ｘ線撮影装置
２…前輪
３…後輪
４…台車
５…装置本体
５ａ…主体部分
６…アーム
７…Ｘ線照射部
９…台車前床部
１１…フラットパネルディテクター
１２…フラットパネル格納部
１３…支柱部
１３ａ…回転中心軸
１５…横アーム部
１６…接地部
１６ａ…接地部の下端
１７…補助脚
１８…支持部
１９…運動変換機構部
２０…回転ギヤ
【図１】
0003204095.tif 000003
【図２】
0003204095.tif 000004
【図３】
0003204095.tif 000005
【図４】
0003204095.tif 000006
【図５】
0003204095.tif 000007